(57)【特許請求の範囲】
【請求項１】
容器口部にプレスクリューキャップの装着を行うキャッピングマシンに設けられたヘッドセットのキャップ保持部において、
キャップが嵌まり込む中空部を囲む周壁部の外面に、周方向に沿って溝が設けられ、該溝の少なくとも１箇所に、該中空部に達する貫通部が形成され、
該溝にリング状のコイルスプリングが嵌着されるとともに、該コイルスプリングの外側にリング状のゴムリングが嵌着され、かつ該貫通部に、前記コイルスプリングと前記ゴムリングとの間に位置させてボールを配したことを特徴とするキャッピングヘッドセットのキャップ保持部。
【発明の詳細な説明】
【０００１】
【発明の属する技術分野】
本発明は、容器口部にプレスクリューキャップの装着を行うキャッピングマシンに設けられたヘッドセットのキャップ保持部に関する。
【０００２】
【従来の技術】
従来、この種のキャップ保持部としては、実開平２−５２７９３号公報に記載されたものが知られている。図５は、同公報記載のキャップ保持部を示すものであり、このキャップ保持部１は、キャップが嵌まり込む中空部２を囲む周壁部３に、例えば金属のボールのように、先端の丸く形成された複数個の押圧部材４が、周壁部３の内外方向に進退自在にかつその先端の一部が前記中空部２に突出するように設けられると共に、これら押圧部材４が、例えばゴムリングのような付勢部材５によって内方に付勢されている。周壁部３の内壁面には、キャップの外周面に形成されたナールに沿う縦方向の凹凸からなる係合面６が形成されている。
このキャップ保持部１を用いて容器口部に装着されるキャップとしては、合成樹脂製のプレスクリューキャップ、すなわち筒部内壁に、容器口部外面に形成された雄ネジに螺合するネジ部が形成され、かつ筒部外面に垂直方向に延びる多数の溝を有する滑り止め用のナールが形成されたものが用いられる。
この従来のキャップ保持部１は、中空部２にキャップを挿入すると、キャップ外周面のナールが嵌合され、それによってキャップの周方向の回転運動を阻止するようになっている。さらに周壁部３の内外方向に進退自在にかつその先端の一部が前記中空部２に突出するように設けられた押圧部材４が、キャップの筒部外周を押圧することによって、中空部２内に挿入されたキャップを保持するようになっている。
【０００３】
【発明が解決しようとする課題】
しかしながら、従来のキャップ保持部１では、押圧部材４として金属のボールを使用していたため、キャップ保持部１でキャップを掴んだ後、ボールが回転してキャップ保持力が弱くなり、キャッピング前あるいはキャッピング直後にキャップが落下する不具合が生じていた。キャッピング前にキャップの落下が起こると、容器口部にキャップが無い、無キャップ品を生じ、またキャッピング直後にキャップ落下が生じると、キャップの斜め被りを生じることになる。
【０００４】
本発明は前記事情に鑑みてなされたもので、キャップの落下に起因するキャッピング不良の発生を防止することのできるキャップ保持部の提供を目的としている。
【０００５】
【課題を解決するための手段】
本発明の請求項１に係る発明は、容器口部にプレスクリューキャップの装着を行うキャッピングマシンに設けられたヘッドセットのキャップ保持部において、キャップが嵌まり込む中空部を囲む周壁部の外面に、周方向に沿って溝が設けられ、該溝の少なくとも１箇所に、該中空部に達する貫通部が形成され、該溝にリング状のコイルスプリングが嵌着されるとともに、該コイルスプリングの外側にリング状のゴムリングが嵌着され、かつ該貫通部に、前記コイルスプリングと前記ゴムリングとの間に位置させてボールを配したことを特徴とするキャッピングヘッドセットのキャップ保持部である。
【０００６】
【発明の実施の形態】
図１及び図２は、本発明によるキャッピングヘッドセットのキャップ保持部の一形態を示すものであり、このキャップ保持部１０は、円筒状をなしており、その中空部１１の下側から、合成樹脂製のプレスクリューキャップ（以下、キャップという）を挿入し、保持できるようになっている。このキャップ保持部１０は金属からなっている。
【０００７】
このキャップ保持部１０は、キャップが嵌まり込む中空部１１を囲む周壁部１２の外面に、周方向に沿って溝１３が設けられ、該溝１３の少なくとも３箇所に、該中空部１１に達する貫通部１４が形成され、該溝１３にリング状のコイルスプリング１５が嵌着されるとともに、該コイルスプリング１５の外側にリング状のゴムリング１６が嵌着され、かつ該貫通部１４に、前記コイルスプリング１５と前記ゴムリング１６との間に位置させて金属ボール１７を配したことを特徴としている。
また、この周壁部１２の内壁面には、キャップの外周面に形成されたナールに沿う縦方向の凹凸からなる係合面１８が形成されている。
【０００８】
前記コイルスプリング１５は、通常は金属製のコイルスプリングが用いられるが、ナイロンやウレタンなどの合成樹脂製のコイルスプリングを用いることもできる。このコイルスプリング１５は、キャップ保持部１０の中空部１１に挿入されたキャップの外周面に接し、コイルが広げられながら、そのコイル線がキャップ外周面のナール溝に嵌入されることによって、挿入されたキャップの周方向の回転を防止すると共に、キャップに締め付け力を作用させて、中空部１１からのキャップの脱落を防止するようになっている。
【０００９】
前記金属ボール１７は、該貫通部１４に、前記コイルスプリング１５と前記ゴムリング１６との間に挿入され、コイルスプリング１５の一部を径方向内方に押圧できればよく、その大きさは限定されない。また、金属材料に代えて、セラミックスボール、硬質高強度プラスチックなどを使用しても良い。貫通部１４内に設けられた金属ボール１７は、その外側のゴムリング１６によって径方向内方に向けて付勢されている。
【００１０】
また前記ゴムリング１６は、図５に示す従来のキャップ保持部１において使用されていたゴムリングと同様に、天然ゴムや合成ゴムからなっている。このゴムリング１６は、金属ボール１７を介して、貫通部１４の位置のコイルスプリング１５を径方向内方に押圧するようになっている。
【００１１】
図３は、このキャップ保持部１０を取付けたヘッドセットを例示するものである。このヘッドセット２０は、スピンドルシャフト２１と、その先端にバネ２４を介して取付けられたヘッド本体２２と、該ヘッド本体２２にベアリング２５を介して取付けられた巻締め部２３と、ヘッド本体２２と巻締め部２３に対向配置された永久磁石２６とを備えている。そして、巻締め部２３の先端に、前記キャップ保持部１０を取付けた構成になっている。
【００１２】
前記キャップ保持部１０を取付けたヘッドセット２０は、回転式キャッピングマシンなどの適宜なキャッピングマシンに設置され、キャッピングマシンの移動に従ってスピンドルシャフトが回転し、一定の上下動を行う。そして、所定位置でキャップを保持し、次いで、図４に示すように、保持したキャップＡを容器Ｂの口部に螺着嵌合する。
このキャップＡとしては、合成樹脂製のプレスクリューキャップ、すなわち筒部内壁に、容器口部外面に形成された雄ネジに螺合するネジ部が形成され、かつ筒部外面に垂直方向に延びる多数の溝を有する滑り止め用のナールが形成されたものが用いられる。
また、容器Ｂとしては、図４に示したように、首部にフランジが形成された合成樹脂容器、またはガラス瓶が使用される。
【００１３】
このキャップ保持部１０は、キャップＡの保持状態において、キャップＡの筒部が中空部１１内に嵌入されている。キャップＡ外周のナールは、周壁部１２内壁面に形成された垂直方向の溝が周方向に沿って多数形成された係合面１８に嵌合されている。
また、３箇所の貫通部１４では、コイルスプリング１５が金属ボール１７を介してゴムリング１６の弾性力により径方向内方に向けて押出され、その部分がキャップＡの外周面に当接し、コイルが広げられながら、そのコイル線がキャップ外周面のナール溝に嵌入されることによって、挿入されたキャップの周方向の回転を防止すると共に、キャップに締め付け力を作用させて、中空部１１からのキャップの脱落を防止する。
【００１４】
このキャップ保持部１０は、キャップＡが嵌まり込む中空部１１を囲む周壁部１２の外面に、周方向に沿って溝１３が設けられ、該溝１３に、中空部１１に達する貫通部１４が形成され、溝１３にリング状のコイルスプリング１５が嵌着されるとともに、該コイルスプリング１５の外側にリング状のゴムリング１６が嵌着され、かつ該貫通部１４に、コイルスプリング１５とゴムリング１６との間に位置させて金属ボール１７を配した構成としたことによって、この中空部にキャップＡを嵌入する際に、スプリング１５のコイル線がキャップ外周面のナール溝に嵌入されることによって、挿入されたキャップの周方向の回転を防止すると共に、キャップＡに締め付け力を作用させ、中空部１１からのキャップの脱落が防がれるので、キャッピング時のキャップ脱落による無キャップ製品やキャップ斜め被りの発生を防止することができる。
【００１５】
【実施例】
図１及び図２に示すキャップ保持部を作製した。このキャップ保持部は、最大外径４７．２ｍｍ、内径２８．１３〜３０．７２ｍｍ、垂直長さ３８ｍｍ、係合面18の垂直長さ１５．５ｍｍ、溝13の深さ５．７ｍｍ、貫通部14（３箇所）の寸法９．３ｍｍ（幅）×３．６ｍｍ（高さ）、金属ボール17の直径３／１６インチ、ニトリルゴム製のゴムリング16の外径４２．７ｍｍ、ゴムリング内径３５．７ｍｍ、コイルスプリング15の外径４１．８ｍｍ、コイルスプリング内径３５．４ｍｍである。
キャップ保持部の溝にコイルスプリングを嵌め込み、次いで貫通部に金属ボールを入れ、それらの外側にゴムリングを嵌め込んでキャップ保持部とした。更に、このキャップ保持部を、アルコア社製キャッピングマシンのヘッドセットに取付けた。
キャップとして、口径２８ｍｍ、筒部上部の外径２９．９ｍｍのポリプロピレン製プレスクリューキャップを用いた。前記キャッピングマシンにキャップとＰＥＴボトルを連続的に供給し、約２０万本のボトルに連続的にキャップを螺着嵌合し、キャップ脱落による無キャップ品と、キャップ斜め被り品発生の有無を調べた。その結果、無キャップ品、キャップ斜め被り品とも、１つも無く、キャップ装着不良品の発生率は０％であった。
一方、比較のために、図５に示す従来のキャップ保持部を使ってキャッピングを行った結果、２０万本中、無キャップ品が２本、斜め被り品が５個発生した。
【００１６】
【発明の効果】
以上説明した通り、本発明のキャップ保持部は、キャップが嵌まり込む中空部を囲む周壁部の外面に、周方向に沿って溝が設けられ、該溝に、中空部に達する貫通部が形成され、溝にリング状のコイルスプリングが嵌着されるとともに、該コイルスプリングの外側にリング状のゴムリングが嵌着され、かつ該貫通部に、コイルスプリングとゴムリングとの間に位置させて金属ボールを配した構成としたことによって、この中空部にキャップを嵌入する際に、スプリングのコイル線がキャップ外周面のナール溝に嵌入されることによって、挿入されたキャップの周方向の回転を防止すると共に、キャップに締め付け力を作用させ、中空部からのキャップの脱落が防がれるので、キャッピング時のキャップ脱落による無キャップ製品やキャップ斜め被りの発生を防止することができる。
【図面の簡単な説明】
【図１】  本発明のキャップ保持部の一例を示す横断面図。
【図２】  同じキャップ保持部の縦断面図。
【図３】  本発明のキャップ保持部を装着したヘッドセットを示す断面図。
【図４】  同じヘッドセットのキャップ保持状態を示す正面図。
【図５】  従来のキャップ保持部を例示する一部断面視した正面図。
【符号の説明】
１０……キャップ保持部、１１……中空部、１２……周壁部、１３……溝、１４……貫通部、１５……コイルスプリング、１６……ゴムリング、１７……金属ボール、Ａ……キャップ（合成樹脂製プレスクリューキャップ）
【図１】
0003763373.tif 000002
【図２】
0003763373.tif 000003
【図３】
0003763373.tif 000004
【図４】
0003763373.tif 000005
【図５】
0003763373.tif 000006